(57)【特許請求の範囲】
【請求項１】
底板（ａ）に連設した前後左右各側板（ｂ〜ｅ）、これら前後左右各側板（ｂ〜ｅ）に連設した前後左右各蓋板（ｂ′〜ｅ′）、上記前後左右各側板（ｂ〜ｅ）のたがいに隣接するものどうしが形成する隅角に位置する被包装物保持または保護副手段（ｆ１，ｇ１，ｈ１，ｉ１）、および、上記被包装物保持または保護副手段（ｈ１，ｉ１）に連設した被包装物保持または保護主手段（ｊ）を備えている段ボールまたは厚紙製包装器体であって、
上記被包装物保持または保護主手段（ｊ）が、たがいに対向する前側板（ｂ）と後側板（ｃ）に連設され、遊端側の幅を広く基端側の幅を狭くした保持または保護主板（ｈ，ｉ）の遊端側（ｈ″，ｉ″）を湾曲または折曲することにより円筒等の筒状に形成され、かつ、その口縁と上記前後左右各側板（ｂ〜ｅ）との間に、環状空隙（ｋ）を区画形成していること、および、
上記被包装物保持または保護副手段（ｆ１，ｇ１，ｈ１，ｉ１）が、前側板（ｂ）に連設した保持または保護副板（ｆ）、上記保持または保護主板（ｈ）の基端側（ｈ′）、後側板（ｃ）に連設した保持または保護副板（ｇ）、および、上記保持または保護主板（ｉ）の基端側（ｉ′）を、それぞれ湾曲または折曲することにより三角筒等の筒状に形成されていること、を特徴とする段ボールまたは厚紙製包装器体。
【請求項２】
段ボールまたは厚紙製の台紙を、
底板（ａ）の前後左右辺縁に連設した前後左右側板（ｂ〜ｅ）の各々の遊端辺縁に前後左右蓋板（ｂ′〜ｅ′）を連設するとともに、上記前側板（ｂ）の左側縁に左側の保持または保護副板（ｆ）を連設し、上記後側板（ｃ）の右側縁に右側の保持または保護副板（ｇ）を連設し、上記前側板（ｂ）の右側縁に右側の保持または保護主板（ｈ）を連設し、上記後側板（ｃ）の左側縁に左側の保持または保護主板（ｉ）を連設したものに形成し、
その台紙を、
上記左右側の保持または保護副板（ｆ，ｇ）を、内外に適宜折り、所要部位を上記前側板（ｂ），後側板（ｃ）の内面に接着固定することによって、三角筒等の筒状の左右側の被包装物保持または保護副手段（ｆ１，ｇ１）を形成し、
上記左右側の保持または保護主板（ｈ，ｉ）を、内外に適宜折り、所要部位を上記左右側の保持または保護副板（ｆ，ｇ）の対向部位に重合し接着固定することによって、三角筒等の筒状の左右側の被包装物保持または保護副手段（ｈ１，ｉ１）を形成し、
上記左右側の保持または保護主板（ｈ，ｉ）の遊端側を、上記左右側の被包装物保持または保護副手段（ｆ１，ｇ１）に沿わせながら円弧状または多角状に湾曲または折曲させるとともに、その両者の対応部位を接着固定し、
上記前側板（ｂ）および後側板（ｃ）を、底板（ａ）に対し直角に起立し、同時に、上記左右側の保持または保護主板（ｈ，ｉ）の遊端部を、たがいに相手側の内面に重合させ、その重合部位を接着固定し、これによって、上記左右側の保持または保護主板（ｉ，ｈ）により円筒等の筒状の被包装物保持または保護主手段（ｊ）を形成し、
上記左側板（ｄ）および右側板（ｅ）を、底板（ａ）に対し直角に起立し、上記前側板（ｂ）の左右および後側板（ｃ）の左右に起立位置する上記被包装物保持または保護副手段（ｆ１，ｈ１、ｇ１，ｉ１）の外面に接着固定し、
これによって、前後左右側板（ｂ〜ｅ）のたがいに隣接するものどうしが形成する各隅角に、保持または保護副手段（ｆ１，ｈ１，ｇ１，ｉ１）を位置させ、また、これらの保持または保護副手段（ｆ１，ｈ１，ｇ１，ｉ１）の内方に、左右側の保持または保護主板（ｈ，ｉ）が形成する被包装物保持または保護主手段（ｊ）を位置させること、を特徴とする段ボールまたは厚紙製包装器体の組立て方法。
【請求項３】
上記左右側の保持または保護主板（ｈ，ｉ）からなる被包装物保持または保護主手段（ｊ）と、前後左右側板（ｂ〜ｅ）との間に、環状空隙（ｋ）を区画形成すること、を特徴とする請求項２記載の段ボールまたは厚紙製包装器体の組立て方法。
【発明の詳細な説明】
【０００１】
【発明の属する技術分野】
本発明は、被包装物を所定の位置に保持または保護する被包装物保持または保護手段を有する段ボールまたは厚紙製包装器体とその組立て方法に関する。
上記被包装物としては、当該目的に供される物品自体の他、例えば、難自立性容器（または柔軟性容器、以下同じ）、すなわち、内容物により変形されるかまたは内容物と同じ形態をとる材質の容器に、当該内容物、例えば、シーリング材，各種塗料等建築用に供される粉体，粒体，液体または粘性体状の建築用流体材料を充填したものを含む。
【０００２】
【従来の技術】
従来、包装器体の所定位置に被包装物を保持または保護するために、パッキングまたは当該被包装物に適合する保持または保護枠を使用することが知られている。
【０００３】
【発明が解決しようとする課題】
これらのパッキングや保持または保護枠は、包装器体自体とは別に用意しておかなければならない不便があり、さらに、パッキングについては包装器体に入れた被包装物の周りの隙間に装填し、保持または保護枠についてはそれと被包装物を装填または嵌合した状態で包装器体に収容しなければならないという煩わしさがあった。
【０００４】
本発明の目的は、上記パッキングや保持または保護枠に相当する保持または保護手段、すなわち、被包装物を所定の位置に保持または保護する被包装物保持または保護手段を、包装器体と一体的な関係にして予め形成しておくことによって、上記のような不便や煩わしさをなくそうとするものであり、かつまた、パッキングや保持または保護枠を包装器体とは別に製造し用意するのに必要なコスト、その装填または嵌合作業に要するコスト、人手等を低減することにある。
【０００５】
また、上記難自立性容器、すなわち、内容物により変形されるかまたは内容物と同じ形態をとる材質の容器は、文字どおり自立が難しいことにおいて、金属または硬質合成樹脂製の自立性容器に比べて、内容物の充填または取り出しに不便であるとともに、当該内容物を充填した状態での梱包，出荷輸送，保管にも不便である。
【０００６】
しかし、上記自立性容器は、一般的に高価であり、使用後の回収を、一旦押し潰して、あるいは嵩張った状態のままで行わなければならず、特に、硬質合成樹脂製のものでは焼却処分したりリサイクルに供する際に、ダイオキシン等有害物質を発生させる欠点があるのに対し、難自立性容器は、比較的安価であり、使用後簡単に折り畳むなど嵩張らない状態にして回収でき、また、焼却処分したりリサイクルに供する際に、ダイオキシン等有害物質を発生させることも殆どないことにおいて、容器として有利なものである。
【０００７】
本発明の他の目的は、難自立性容器の上記有利性を活かしながら、当該材料の充填または取り出しの不便、充填状態での梱包，出荷輸送，保管の不便を解消できるようにした包装器体を提供することにある。
【０００８】
本発明のさらに他の目的は、自動組立てが可能で製造コストを軽減でき、しかも、使用後に無公害消却処理できる段ボールや厚紙製でありながら、従来に比べ外力特に圧縮荷重抗力が高く、したがって、被包装物を入れて重量化した状態であっても従来と異なり数段場合によっては数十段も積み重ねることができる包装器体を提供することにある。
【０００９】
【課題を解決するための手段】
本発明段ボールまたは厚紙製包装器体は、＜イ＞底板（ａ）に連設した前後左右各側板（ｂ〜ｅ）、これら前後左右各側板（ｂ〜ｅ）に連設した前後左右各蓋板（ｂ′〜ｅ′）、上記前後左右各側板（ｂ〜ｅ）のたがいに隣接するものどうしが形成する隅角に位置する被包装物保持または保護副手段（ｆ１，ｇ１，ｈ１，ｉ１）、および、上記被包装物保持または保護副手段（ｈ１，ｉ１）に連設した被包装物保持または保護主手段（ｊ）を備えている段ボールまたは厚紙製包装器体であって、＜ロ＞上記被包装物保持または保護主手段（ｊ）が、たがいに対向する前側板（ｂ）と後側板（ｃ）に連設され、遊端側の幅を広く基端側の幅を狭くした保持または保護主板（ｈ，ｉ）の遊端側（ｈ″，ｉ″）を湾曲または折曲することにより円筒等の筒状に形成され、かつ、その口縁と上記前後左右各側板（ｂ〜ｅ）との間に、環状空隙（ｋ）を区画形成していること、＜ハ＞上記被包装物保持または保護副手段（ｆ１，ｇ１，ｈ１，ｉ１）が、前側板（ｂ）に連設した保持または保護副板（ｆ）、上記保持または保護主板（ｈ）の基端側（ｈ′）、後側板（ｃ）に連設した保持または保護副板（ｇ）、および、上記保持または保護主板（ｉ）の基端側（ｉ′）を、それぞれ湾曲または折曲することにより三角筒等の筒状に形成してなる。
【００１０】
本発明段ボールまたは厚紙製包装器体の組立て方法は、次のとおりである。
【００１１】
段ボールまたは厚紙製の台紙を、＜ニ＞底板（ａ）の前後左右辺縁に連設した前後左右側板（ｂ〜ｅ）の各々の遊端辺縁に前後左右蓋板（ｂ′〜ｅ′）を連設するとともに、上記前側板（ｂ）の左側縁に左側の保持または保護副板（ｆ）を連設し、上記後側板（ｃ）の右側縁に右側の保持または保護副板（ｇ）を連設し、上記前側板（ｂ）の右側縁に右側の保持または保護主板（ｈ）を連設し、上記後側板（ｃ）の左側縁に左側の保持または保護主板（ｉ）を連設したものに形成し、その台紙を、＜ホ＞上記左右側の保持または保護副板（ｆ，ｇ）を、内外に適宜折り、所要部位を上記前側板（ｂ），後側板（ｃ）の内面に接着固定することによって、三角筒等の筒状の左右側の被包装物保持または保護副手段（ｆ１，ｇ１）を形成し、＜ヘ＞上記左右側の保持または保護主板（ｈ，ｉ）を、内外に適宜折り、所要部位を上記左右側の保持または保護副板（ｆ，ｇ）の対向部位に重合し接着固定することによって、三角筒等の筒状の左右側の被包装物保持または保護副手段（ｈ１，ｉ１）を形成し、＜ト＞上記左右側の保持または保護主板（ｈ，ｉ）の遊端側を、上記左右側の被包装物保持または保護副手段（ｆ１，ｇ１）に沿わせながら円弧状または多角状に湾曲または折曲させるとともに、その両者の対応部位を接着固定し、＜チ＞上記前側板（ｂ）および後側板（ｃ）を、底板（ａ）に対し直角に起立し、同時に、上記左右側の保持または保護主板（ｈ，ｉ）の遊端部を、たがいに相手側の内面に重合させ、その重合部位を接着固定し、これによって、上記左右側の保持または保護主板（ｉ，ｈ）により円筒等の筒状の被包装物保持または保護主手段（ｊ）を形成し、＜リ＞上記左側板（ｄ）および右側板（ｅ）を、底板（ａ）に対し直角に起立し、上記前側板（ｂ）の左右および後側板（ｃ）の左右に起立位置する上記被包装物保持または保護副手段（ｆ１，ｈ１、ｇ１，ｉ１）の外面に接着固定し、＜ヌ＞これによって、前後左右側板（ｂ〜ｅ）のたがいに隣接するものどうしが形成する各隅角に、保持または保護副手段（ｆ１，ｈ１，ｇ１，ｉ１）を位置させ、また、これらの保持または保護副手段（ｆ１，ｈ１，ｇ１，ｉ１）の内方に、左右側の保持または保護主板（ｈ，ｉ）が形成する被包装物保持または保護主手段（ｊ）を位置させる。
【００１２】
なお、上記において、上記左右側の保持または保護主板（ｈ，ｉ）からなる被包装物保持または保護主手段（ｊ）と、前後左右側板（ｂ〜ｅ）との間に、環状空隙（ｋ）を区画形成すると、後述のように、難自立性容器を収容包装する場合に好都合なものとなる。
【００１３】
【発明の実施の形態】
以下には本発明を図示の一実施形態についてさらに詳しく説明する。
この実施形態では、段ボール（または厚紙、以下同じ）を所定の輪郭形状に裁断するとともに、所定の部位に折り目と切込みを入れた台紙を作成しておき、これを組み立てることにより所期の包装器体とするもので、 図１は本発明の１実施形態に係る包装器体の展開（台紙）平面図、図２は展開（台紙）斜視図である。
【００１４】
ａは、一辺の長さをｓとする正方形の底板で、この底板ａの前後左右辺縁には、折り目１〜４を介し、該底板ａと同形，同大の前側板ｂ，後側板ｃ，左側板ｄおよび右側板ｅを連設している。
上記前側板ｂ，後側板ｃ，左側板ｄおよび右側板ｅは、それぞれの遊端辺縁に折り目５〜８を介し、前蓋板ｂ′，後蓋板ｃ′，左蓋板ｄ′および右蓋板ｅ′を連設している。
【００１５】
ｆは、上記前側板ｂの左側縁に折り目９を介して連設した左側の保持または保護副板で、その長さｓ１は上記正方形の一辺の長さｓより少し長く、幅ｓ２は同長さｓより顕著に短い。また、その長さｓ１方向においてこれを区画イ，ロ，ハに３等分する部位に折り目１０，１１を入れている。
ｇは、上記後側板ｃの右側縁に折り目１２を介して連設した右側の保持または保護副板で、上記保持または保護副板ｆと同様、その長さｓ１は上記正方形の一辺の長さｓより少し長く、幅ｓ２は同長さｓより顕著に短く、その長さｓ１方向においてこれを区画イ，ロ，ハに３等分する部位に折り目１３，１４を入れている。
【００１６】
ｈは、上記前側板ｂの右側縁に折り目１５を介して連設した右側の保持または保護主板で、その全長ｓ３を上記正方形の一辺の長さｓの約２．６倍とし、幅ｓ４を同正方形の一辺の長さｓより少し短くしている。
１６は、上記保持または保護主板ｈの全長ｓ３のうち前側板ｂ側の約２．６分の１の長さ部分（すなわち、上記正方形の一辺の長さと同じ長さｓ部分）の辺縁に形成した切欠部である。
この切欠部１６によって、右側の保持または保護主板ｈは、前側板ｂ側の約２．６分の１の長さ部分ｈ′の幅を、上記保持または保護副板ｆの幅と同じｓ２としている。
【００１７】
換言すると、右側の保持または保護主板ｈは、上記正方形の一辺の長さｓの約２．６倍の長さである全長ｓ３のうち、遊端側の約２．６分の１．６の長さ部分ｈ″の幅ｓ４を正方形の一辺の長さｓより少し短くし、前側板ｂ側の約２．６分の１の長さ部分ｈ′の幅ｓ２を正方形の一辺の長さｓより顕著に短くしている。
【００１８】
ｉは、上記後側板ｃの左側縁に折り目１７を介して連設した左側の保持または保護主板で、上記保持または保護主板ｈと同様、その全長ｓ３を上記正方形の一辺の長さｓの約２．６倍とし、幅ｓ４を同正方形の一辺の長さｓより少し短くしている。
１８は、上記保持または保護主板ｉの全長ｓ３のうち後側板ｃ側の約２．６分の１の長さ部分（すなわち、上記正方形の一辺の長さと同じ長さｓ部分）の辺縁に形成した切欠部である。
この切欠部１８によって、左側の保持または保護主板ｉは、後側板ｃ側の約２．６分の１の長さ部分ｉ′の幅を、上記保持または保護副板ｇの幅と同じｓ２としている。
【００１９】
換言すると、左側の保持または保護主板ｉは、上記正方形の一辺の長さｓの約２．６倍の長さである全長ｓ３のうち、遊端側の約２．６分の１．６の長さ部分ｉ″の幅ｓ４を正方形の一辺の長さｓより少し短くし、後側板ｃ側（基端側）の約２．６分の１の長さ部分ｉ′の幅ｓ２を正方形の一辺の長さｓより顕著に短くしている。
【００２０】
これにより、後で図６〜１１を参照して説明するところから明らかになるように、段ボールまたは厚紙製包装器体として組み立てられたとき、左右側の保持または保護主板ｈ，ｉは、被包装物保持または保護主手段ｊを構成し、自己の基端側の部分ｈ′，ｉ′および左右側の保持または保護副板ｆ、ｇとの間に段差を形成するとともに、前側板ｂ，後側板ｃ，左側板ｄおよび右側板ｅとの間に、環状空隙ｋを区画形成するものであるが、このことは、本発明に段ボールまたは厚紙製包装器体により、特に、所要の内容物を入れた難自立性容器Ａを包装する場合において、その難自立性容器Ａの環状覆部ｎを嵌入保持または保護するのに役立つことになる。
【００２１】
１９は、右側の保持または保護主板ｈの部分ｈ′をその長さ方向に３等分する部位に入れた折り目、２０は、上記左側の保持または保護主板ｉの部分ｉ′をその長さ方向に３等分する部位に入れた折り目で、これらの折り目により、上記部分ｈ′，ｉ′のそれぞれに区画ニ，ホを区画している。
２１は、左側板ｄおよび左蓋板ｄ′と左側の保持または保護副板ｆとの間に入れた切込み、２２は同左側板ｄおよび左蓋板ｄ′と左側の保持または保護主板ｉとの間に入れた切込みであり、２３は、右側板ｅおよび右蓋板ｅ′と右側の保持または保護副板ｇとの間に入れた切込み、２４は同右側板ｅおよび右蓋板ｅ′と右側の保持または保護主板ｈとの間に入れた切込みである。
【００２２】
上記構成の台紙による本発明包装容器の組立ては、例えば図３〜９に示す要領で行うもので、それを詳しく説明すると次のとおりである。
まず、左右側の保持または保護副板ｆ，ｇを、折り目９〜１１、１２〜１４において内外に適宜折り、それぞれの区画ハ，ハを上記前側板ｂ，後側板ｃの内面中央に接着固定することによって、それぞれの区画イ，ロによる三角筒状の被包装物保持または保護副手段ｆ１，ｇ１を形成する（図３）。
【００２３】
つづいて、左右側の保持または保護主板ｈ，ｉを、折り目１５，１９、１７，２０において内外に適宜折り、保持または保護主板ｈ，ｉの前記部分ｈ′，ｉ′寄りの部分を、上記保持または保護副板ｆ，ｇの区画ハ，ハに重合し接着固定することによって、それぞれの部分ｈ′，ｉ′の上記区画でニ，ホで三角筒状の被包装物保持または保護副手段ｈ１，ｉ１を形成する。
同時に、保持または保護主板ｈ，ｉの遊端側の長さ部分ｈ″，ｉ″を、上記被包装物保持または保護副手段ｆ１，ｇ１の区画ロ，ロに沿わせながら円弧状に湾曲させるとともに、その両者、すなわち、上記被包装物保持または保護副手段ｆ１，ｇ１の区画ロ，ロと部分ｈ″，ｉ″の対応部位とを接着固定する（図４）。
【００２８】
上記湾曲に際しては、保持または保護主板ｈ，ｉの上記部分ｈ″，ｉ″の全体に、予め、すなわち上記台紙裁断加工時において、所要の間隔で折り目を入れておき、その各折り目により折ることとすると、正確には多角形になるが、当該湾曲作業を容易に行うことができること明らかである。
【００２４】
次に、前側板ｂおよび後側板ｃを、前記折り目１，２において、底板ａに対し折り曲げて直角に起立し、同時に、保持または保護主板ｈ，ｉの上記部分ｈ″，ｉ″の遊端部２５，２６を、たがいに相手側、すなわち保持または保護主板ｉ，ｈの上記部分ｉ″，ｈ″の部分ｈ′，ｉ′寄りの内面に重合させ、その重合部位を接着固定する。これによって、保持または保護主板ｈ，ｉの遊端側の部分ｈ″，ｉ″が、円筒形状（多角形を含む）の被包装物保持または保護主手段ｊを形成することになる（図５，図６，図８）。
【００２５】
その後、左側板ｄおよび右側板ｅを、前記折り目３，４において、底板ａに対し折り曲げて直角に起立し、前側板ｂの左右および後側板ｃの左右に起立位置する上記被包装物保持または保護副手段ｆ１，ｈ１、ｇ１，ｉ１の区画イ，ニの外面に、接着固定する（図７，図８）。
【００２６】
このようにして組み立てられた本発明段ボールまたは厚紙製包装器体は、前側板ｂ，左側板ｄ，右側板ｅおよび後側板ｃのたがいに隣接するものどうしが形成する４つの隅角に、保持または保護副手段ｆ１，ｈ１，ｇ１およびｉ１を位置させ、また、これらの保持または保護副手段ｆ１，ｈ１，ｇ１およびｉ１の内方に、左右側の保持または保護主板ｈ，ｉの遊端側の部分ｈ″，ｉ″が形成する被包装物保持または保護主手段ｊを位置させる。
【００２７】
したがって、この被包装物保持または保護主手段ｊ内に被包装物を装填または嵌合するとともに、前蓋板ｂ′，後蓋板ｃ′，左蓋板ｄ′および右蓋板ｅ′を閉じ包装すると、その被包装物は、これらの蓋板ｂ′〜ｅ′、底板ａ，前側板ｂ，後側板ｃ，左側板ｄおよび右側板ｅの他に、上記保持または保護副手段ｆ１，ｈ１，ｇ１およびｉ１、さらに、上記保持または保護主手段ｊによって、上下、前後および左右において、多重に囲繞され、保護される状態となる。
【００２８】
特に、円筒形状の上記保持または保護主手段ｊ、三角筒状の上記保持または保護副手段ｆ１，ｈ１，ｇ１，ｉ１は、上方から加わる荷重を効果的に支えることができるものである。
【００２９】
また、上記のようにして組み立てられた本発明段ボールまたは厚紙製包装器体は、左右側の保持または保護主板ｈ，ｉからなる被包装物保持または保護主手段ｊが、自己の部分ｈ′，ｉ′および左右側の保持または保護副板ｆ，ｇとの間の段差によって、前側板ｂ，後側板ｃ，左側板ｄおよび右側板ｅとの間に、環状空隙ｋを区画形成する（図９，１１）。
【００３０】
以下には、上記被包装物保持または保護主手段ｊに上記環状空隙ｋを利用しながら保持または保護させる難自立性容器Ａとその包装の仕方について、図１０，１１を参照して説明する。
【００３１】
この難自立性容器Ａの肉厚は、図面では強調して表されているが、実際には、文字どおり自立が困難で、当該内容物（例えば建築用流体材料等）により周面を膨らます程度の薄層のものである。
【００３２】
ｍは軟質合成樹脂薄層からなる平面円形の材料収容袋部で、それは、下側から上側に至るに従い徐々に径を大きくし、開口周縁部２７をやや肉厚としている。  ｎは同じく軟質合成樹脂薄層からなる環状覆部で、それは、上記やや肉厚の開口周縁部２７の上側に延長形成され、かつ、その直径線上の対向位置に手掛け孔２８，２８を形成している。
【００３３】
ｏは材料収容袋部ｍの開口を閉じている軟質合成樹脂からなるやや肉厚の蓋部で、それは、上記開口周縁部２７に嵌着状態になっている。
２９は上記蓋部ｏに設けたキャップ付き注出口で、このキャップ付き注出口２９は、蓋部ｏの上面とほぼ面一の押入状態とそれより上方に突出する引出し状態とに簡単に変位できるようにしてある。
３０は同蓋部ｏの直径線上に形成した折曲げ用細浅溝、図示を省略したが同様な折曲げ用細浅溝を、材料収容袋部ｍの底板にも、蓋部ｏのものと平行に形成している。３１は同蓋部ｏの周縁に形成した切取り用細浅溝または同周縁に埋設した切取り用糸を示す。
【００３４】
このような構成の難自立性容器Ａは、開口周縁部２７，材料収容袋部ｍ，環状覆部ｎおよび蓋部ｏの全部または一部を、射出成形法またはブロー成形法等により各別に形成しておき、高周波ウエルダー等により溶着して一体化するとか、所要の成形法により一挙に一体化することにより、製造される。
【００３５】
上記構成の難自立性容器Ａの材料収容袋部ｍに対し、それのキャップ付き注出口２９を通じて行う建築用流体材料等内容物の充填を、空の難自立性容器Ａを本発明段ボールまたは厚紙製包装器体の上記被包装物保持または保護主手段ｊに保持させた状態にしておいて行うか、あるいは、該被包装物保持または保護主手段ｊに保持させる以前に行っておくかは、適宜選択実施すればよいことである。
【００３６】
いずれにしても、難自立性容器Ａの本発明段ボールまたは厚紙製包装器体による包装において、その難自立性容器Ａは、本発明段ボールまたは厚紙製包装器体内に次のように収納される。
難自立性容器Ａの材料収容袋部ｍを、左右側の保持または保護主板ｈ，ｉからなる被包装物保持または保護主手段ｊに嵌挿収納し、これにより、難自立性容器Ａ（材料収容袋部ｍ）を該主手段ｊに支持する。
それには、上記環状覆部ｎを、それの開口周縁部２７の部分から外側下方に折り返して垂下させ、その垂下した環状覆部ｎが、上記主手段ｊの口縁、さらに具体的には、保持または保護主板ｈ，ｉの部分ｉ″，ｈ″の辺縁を覆うようにするとともに、材料収容袋部ｍの上記やや肉厚の開口周縁部２７が、上記主手段ｊの口縁、すなわち、保持または保護主板ｈ，ｉの部分ｉ″，ｈ″の辺縁に乗載係合する状態にしながら、上記環状覆部ｎを前記環状空隙ｋに挿入する（図１１）。
【００３７】
この後、前蓋板ｂ′，後蓋板ｃ′，左蓋板ｄ′および右蓋板ｅ′を閉じ、それらを適宜止着することにより必要な梱包が終わる。
これによって、被包装物たる難自立性容器Ａは、蓋板ｂ′〜ｅ′、底板ａ，前側板ｂ，後側板ｃ，左側板ｄおよび右側板ｅの他に、上記保持または保護副手段ｆ１，ｈ１，ｇ１およびｉ１、上記保持または保護主手段ｊ等によって、上下、前後および左右において、多重に囲繞、保護された状態となる。
【００３８】
これによって、難自立性容器Ａは、外部から加わる衝撃等に対する耐力を向上するとともに、その梱包状態では、数段またはそれ以上の多段に積み重ねることができる程となり、出荷輸送、保管等に至便なものとなる。
【００３９】
本発明段ボールまたは厚紙製包装器体は、上記実施形態に限るものではなく、例えば次のようにすることが可能である。
【００４０】
内容物（すなわち、上記建築用流体材料等）を使用するには、難自立性容器Ａを本発明段ボールまたは厚紙製包装器体から取り出し、環状覆部ｎに設けてある前記手掛け孔２８，２８を利用するなどして必要な現場に適宜持ち運んでもよいが、上記状態において収容されている難自立性容器Ａの上記キャップ付き注出口２９に対向する蓋板ｂ′〜ｅ′の部分に、所要の大きさの開口を形成することができる切取線を予め入れておくことにより、必要に応じて、その切取線を利用して開口し、そこから上記キャップ付き注出口２９を引き出し、内容物を取り出すようにするのも便利である。
【００４１】
なお、キャップ付き注出口２９を、蓋板ｂ′〜ｅ′ではなく、前側板ｂ，左右側板ｄ，ｅまたは後側板ｃに対向させている場合は、当然のことながら、その対向部位に、上記開口を形成するための切取線を予め入れておくとよい。
【００４２】
上記実施形態では、左右側の保持または保護副板ｆ，ｇによる被包装物保持または保護副手段ｆ１，ｇ１を形成する（図３）とともに、左右側の保持または保護主板ｈ，ｉの部分ｈ′，ｉ′による被包装物保持または保護副手段ｈ１，ｉ１を形成し、その上さらに、左右側の保持または保護主板ｈ，ｉの部分ｈ″，ｉ″による被包装物保持または保護主手段ｊを形成し、この被包装物保持または保護主手段ｊで被包装物を直接支持または保護することとしている。
【００４３】
しかし、被包装物保持または保護主手段ｊを形成することなく、上記被包装物保持または保護副手段ｆ１，ｇ１，ｈ１，ｉ１だけを形成し、これら副手段ｆ１，ｇ１，ｈ１，ｉ１によって、当該被包装物を支持または保護することとしてもよいもので、いずれを選択するかは、被包装物の性状，形状，重量、または包装の目的、段ボールまたは厚紙製包装器体に付与しようとする強度等により適宜決定してよい。
【００４４】
また、上記被包装物保持または保護主手段ｊ、被包装物保持または保護副手段ｆ１，ｇ１，ｈ１，ｉ１の幅（高さ）は、上記実施形態の場合とは異なり、必要に応じ、底板ａの一辺の長さや、前側板ｂの左右側板ｄ，ｅおよび後側板ｃの幅（高さ）と同じにしてもよい。
【００４５】
さらに、上記前側板ｂの左右側板ｄ，ｅおよび後側板ｃの所要位置に、手掛け孔あるいは手掛け孔用の切取線を形成しておくと便利である。
【００４６】
被包装物保持または保護副手段および同主手段としては、実施形態における被包装物保持または保護主手段ｊ、同副手段ｆ１，ｇ１，ｈ１，ｉ１に加えて、あるいは、それらとは別に、上記前側板ｂの左右側板ｄ，ｅおよび後側板ｃ自体の一部を切り起こすことにより形成してもよい。
【００４７】
本発明において、段ボールまたは厚紙は、防水加工を施したものや所要のラミネートしたものを含む。
【００４８】
【発明の効果】
以上詳述したところから明らかなように、本発明は次の効果を奏する。
【００４９】
被包装物は、前後左右蓋板，底板，前後左右側板の他に、該前後左右側板に連設形成されている保持または保護主手段および／または保持または保護副手段により、上下、前後および左右において、多重に囲繞、保護された状態となり、本発明包装器体に被包装物を収納してなる梱包体は、外部から加わる衝撃等に対する耐力（強度）を著しく向上するとともに、その梱包状態では、数段またはそれ以上の多段に積み重ねることができる程となり、出荷輸送、保管等に至便なものとなる。
【００５０】
被包装物を所定の位置に保持または保護する上記被包装物保持または保護主手段および同副手段、前後左右蓋板，底板，前後左右側板がたがいに連設し、一体的に形成されていることは、上記耐力（強度）の向上に寄与する以外に、従来のように、パッキングや保持または保護枠を包装器体とは別に製造し用意するのに必要なコスト、その装填または嵌合作業に要するコスト、人手等を低減することに寄与する。
【００５１】
また、本発明包装器体は、難自立性容器の包装に供することができ、該難自立性容器の本来の有利性を活かしながら、当該材料（内容物）の充填または取り出しの不便、充填状態での梱包，出荷輸送，保管の不便を解消できる。
【００５２】
さらに、本発明包装器体は、その全体の自動組立てが可能で製造コストを軽減でき、しかも、使用後には、嵩張らない状態に折り畳んで回収し再利用したり、無公害消却処理等ができる。
【００５３】
本発明組立て方法は、上記構成の包装器体を自動組み立てするのに適し、かつまた、その組立て工程の途中に、被包装物を内装する工程を採用することもできるものである。
【図面の簡単な説明】
【図１】  本発明の実施形態に係る段ボールまたは厚紙製包装器体の展開平面図である。
【図２】  同上の展開斜視図である。
【図３】  上記包装器体の組立て状況を示す斜視図である。
【図４】  上記包装器体の組立て状況を示す斜視図である。
【図５】  上記包装器体の組立て状況を示す斜視図である。
【図６】  上記包装器体の組立て状況を示す斜視図である。
【図７】  上記包装器体の組立てを完了した状態の斜視図である。
【図８】  上記包装器体の組立てを完了した状態の横断面図である。
【図９】  上記包装器体の組立てを完了した状態の縦断面図である。
【図１０】  難自立性容器の斜視図である。
【図１１】  組立てを完了した上記製包装器体に上記難自立性容器を収容した状態の縦断面図である。
【符号の説明】
ａ                      底板
ｂ〜ｅ                  前後左右各側板
ｂ′〜ｅ′              前後左右各蓋板
ｆ，ｇ                  保持または保護副板
ｈ，ｉ                  保持または保護主板
ｆ１，ｈ１，ｇ１，ｉ１  被包装物保持または保護副手段
ｊ                      被包装物保持または保護主手段
ｋ                      環状空隙
Ａ                      難自立性容器
ｍ                      材料収容袋部
２７                    開口周縁部
ｎ                      環状覆部
【図１】
0003997506.tif 000002
【図２】
0003997506.tif 000003
【図３】
0003997506.tif 000004
【図４】
0003997506.tif 000005
【図５】
0003997506.tif 000006
【図６】
0003997506.tif 000007
【図７】
0003997506.tif 000008
【図８】
0003997506.tif 000009
【図９】
0003997506.tif 000010
【図１０】
0003997506.tif 000011
【図１１】
0003997506.tif 000012